【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
（Ａ）パーフルオロ基を有するポリシロキサンと、
（Ｂ）内部に空隙を有するシリカ系微粒子と、
（Ｃ）下記一般式（１）〜（３）で表される硬化剤から選ばれる２種類以上
とを含むコーティング材料
Ｍ１（ＯＲ１）ａ１                  （１）
Ｍ２Ｘｂ（ＯＲ２）ａ２−ｂ                  （２）
Ｍ３Ｙａ３                          （３）
（ここで、Ｍ１、Ｍ２、Ｍ３は、チタン、アルミニウム、ジルコニウム、マグネシウム、鉄、スズ、ニオブ、およびタンタルからなる群より選ばれる１つの金属（Ｍ１、Ｍ２、Ｍ３は、それぞれ異なる金属でも、同じ金属でもよい）であり、Ｒ１およびＲ２は炭素数１〜１８の直鎖または分岐鎖の飽和および／または不飽和アルキル基であり、ＸおよびＹは一般式Ｒ３ＣＯＣＨ２ＣＯＲ４（Ｒ３、Ｒ４はいずれも低級アルキル基）で示される化合物に由来する配位子、および  Ｒ５ＣＯＣＨ２ＣＯＯＲ６（Ｒ５、Ｒ６はいずれも低級アルキル基）で示される化合物に由来する配位子から選ばれる少なくともひとつであり、ａ１はＭ１の、ａ２はＭ２の、ａ３はＭ３の原子価数であり、ｂは１〜（ａ２−１）の自然数である。）        
【請求項２】
前記（Ａ）ポリシロキサンと前記（Ｂ）内部に空隙を有するシリカ系微粒子とを合わせた質量に対する（Ｂ）内部に空隙を有するシリカ系微粒子の含有量が２５〜６０質量％である請求項１に記載のコーティング材料。
【請求項３】
ポリシロキサンおよび内部に空隙を有するシリカ系微粒子の全ケイ素原子の数１．０に対して、硬化剤由来の金属原子の数が０．００５〜０．０６であることを特徴とする請求項１および２に記載のコーティング材料。
【請求項４】
前記一般式（１）〜（３）において、Ｍ１、Ｍ２、Ｍ３がそれぞれアルミニウムまたはマグネシウムである請求項１〜３のいずれかに記載のコーティング材料。（ただし、Ｍ１、Ｍ２、Ｍ３はそれぞれ異なる金属でも、同じ金属でもよい）
【請求項５】
前記（Ａ）ポリシロキサンが下記一般式（４）で表されるフッ素含有シラン化合物および／またはその加水分解縮合物を含んでなるポリシロキサンである請求項１〜４のいずれかに記載のコーティング材料
Ｒ７ｅＳｉ（Ｒ８）ｆＺ３−（ｅ＋ｆ）               （４）
（式中、Ｒ７は炭素数３〜１２のフッ素を有する有機基。R ８は炭素数が１〜５の炭化水素基。Ｚは加水分解性基であり、ｅは１または２、ｆは０または１であり、ｅ＋ｆは１または２である。）
【請求項６】
硬化剤がアルミニウムキレート化合物から選ばれる少なくとも２種類以上含んでなる請求項１〜５のいずれかに記載のコーティング材料。
【請求項７】
透明基材の少なくとも一方の面に、請求項１〜６のいずれかに記載のコーティング材料からなる低屈折率層を積層した光学物品。
【請求項８】
透明基材の少なくとも一方の面に、請求項１〜６のいずれかに記載のコーティング材料からなる低屈折率層と、表面抵抗が１×１０１２（Ω／□）以下である高屈折率層とを積層した光学物品。
【請求項９】
前記透明基材の低屈折率層が積層されていない面に、近赤外線吸収層および／または染料を含有する層を積層した請求項７または８に記載の光学物品。
【手続補正２】
【補正対象書類名】明細書
【補正対象項目名】０００６
【補正方法】変更
【補正の内容】
【０００６】
本発明者らは上記の問題点を解決するために鋭意検討した結果、以下に述べる本発明に到達した。すなわち本発明のコーティング材料は、
（Ａ）パーフルオロ基を有するポリシロキサンと、
（Ｂ）内部に空隙を有するシリカ系微粒子と、
（Ｃ）下記一般式（１）〜（３）で表される硬化剤から選ばれる２種類以上とを含むことを特徴とするものである。
Ｍ１（ＯＲ１）ａ１                  （１）
Ｍ２Ｘｂ（ＯＲ２）ａ２−ｂ                  （２）
Ｍ３Ｙａ３                          （３）
（ここで、Ｍ１、Ｍ２、Ｍ３は、チタン、アルミニウム、ジルコニウム、マグネシウム、鉄、スズ、ニオブ、およびタンタルからなる群より選ばれる１つの金属（Ｍ１、Ｍ２、Ｍ３は、それぞれ異なる金属でも、同じ金属でもよい）であり、Ｒ１およびＲ２は炭素数１〜１８の直鎖または分岐鎖の飽和および／または不飽和アルキル基であり、ＸおよびＹは一般式Ｒ３ＣＯＣＨ２ＣＯＲ４（Ｒ３、Ｒ４はいずれも低級アルキル基）で示される化合物に由来する配位子、および  Ｒ５ＣＯＣＨ２ＣＯＯＲ６（Ｒ５、Ｒ６はいずれも低級アルキル基）で示される化合物に由来する配位子から選ばれる少なくともひとつであり、ａ１はＭ１の、ａ２はＭ２の、ａ３はＭ３の原子価数であり、ｂは１〜（ａ２−１）の自然数である。）
また、本発明は、上記コーティング材料を低屈折率層として用いた反射防止性を有する光学物品である。
【手続補正３】
【補正対象書類名】明細書
【補正対象項目名】００８５
【補正方法】削除
【補正の内容】
【手続補正４】
【補正対象書類名】明細書
【補正対象項目名】００８６
【補正方法】変更
【補正の内容】
【００８６】
（実施例６）
実施例１の［コーティング材料の調製方法］において、硬化剤の組合せをＡＡトリスアセチルアセトネートアルミニウム５．２２ｇ、トリｓｅｃ−ブトキシアルミニウム１．６９ｇに代えた以外は実施例１と同様にして光学物品を得た。この光学物品の各評価結果を表１に示す。全評価において良好な値を示した。
【手続補正５】
【補正対象書類名】明細書
【補正対象項目名】００８７
【補正方法】変更
【補正の内容】
【００８７】
（実施例７）
実施例１の［コーティング材料の調製方法］において、トリデカフルオロオクチルトリメトキシシランをパーフロロブチルエチルトリメトキシシラン４．４ｇに代えた以外は実施例１と同様にして光学物品を得た。この光学物品の各評価結果を表１に示す。全評価において良好な値を示した。
【手続補正６】
【補正対象書類名】明細書
【補正対象項目名】００８８
【補正方法】変更
【補正の内容】
【００８８】
（実施例８）
実施例１の［コーティング材料の調製方法］において、硬化剤をトリスアセチルアセトネートアルミニウム１．６ｇ、トリスエチルアセトアセテートアルミニウム２．０４ｇの組合せに代えた以外は実施例１と同様にして光学物品を得た。この光学物品の各評価結果を表１に示す。全評価において良好な値を示した。
【手続補正７】
【補正対象書類名】明細書
【補正対象項目名】００８９
【補正方法】変更
【補正の内容】
【００８９】
（実施例９）
実施例１の［コーティング材料の調製方法］において、硬化剤をトリスアセチルアセトネートアルミニウム５．３３ｇ、トリスエチルアセトアセテートアルミニウム６．８ｇに代えた以外は実施例１と同様にして光学物品を得た。この光学物品の各評価結果を表１に示す。全評価において良好な値を示した。
【手続補正８】
【補正対象書類名】明細書
【補正対象項目名】００９０
【補正方法】変更
【補正の内容】
【００９０】
（実施例１０）
実施例１の［コーティング材料の調製方法］において、硬化剤トリスアセチルアセトネートアルミニウムをアセチルアセトネートマグネシウム２．８６ｇにした以外は実施例１と同様にして光学物品を得た。この光学物品の各評価結果を表１に示す。全評価において良好な値を示した。
【手続補正９】
【補正対象書類名】明細書
【補正対象項目名】００９１
【補正方法】変更
【補正の内容】
【００９１】
（実施例１１）
実施例１の［コーティング材料の調製方法］において、  共重合体（Ａ）を、下記光重合性の反応性を有するポリマー７．０ｇとプロピレングリコールモノエチルエーテル６３．０ｇに変更して光重合性を有するコーティング材料とする以外は、実施例１と同様にして光学物品を得た。この光学物品の各評価結果を表１に示す。全評価において良好な値を示した。
【手続補正１０】
【補正対象書類名】明細書
【補正対象項目名】００９８
【補正方法】変更
【補正の内容】
【００９８】
【表１】
2007009127.tif 000001